(57)【要約】【課題】より自然視に近い状態で眼科検査が可能な眼科検査装置を提供する。【解決手段】眼科検査装置は、情報提示系と、制御部とを含む。情報提示系は、左被検眼に提示される情報を表示する左表示部と、右被検眼に提示される情報を表示する右表示部とを含む。制御部は、左被検眼から所定距離だけ離れた見かけの位置に左注視目標を提示するとともに、右被検眼から所定距離だけ離れた見かけの位置に右注視目標を提示するように情報提示系を制御し、かつ、所定距離に対応する両眼視差に応じた左パースペクティブ画像及び右パースペクティブ画像をそれぞれ左表示部及び右表示部に表示させる。【選択図】図４
2018042761.tif 000002
【特許請求の範囲】
【請求項１】
左被検眼に提示される情報を表示する左表示部と、右被検眼に提示される情報を表示する右表示部とを含む情報提示系と、
前記左被検眼から所定距離だけ離れた見かけの位置に左注視目標を提示するとともに、前記右被検眼から前記所定距離だけ離れた見かけの位置に右注視目標を提示するように前記情報提示系を制御し、かつ、前記所定距離に対応する両眼視差に応じた左パースペクティブ画像及び右パースペクティブ画像をそれぞれ前記左表示部及び前記右表示部に表示させる制御部と、
を含む眼科検査装置。
【請求項２】
前記制御部は、前記左注視目標及び前記右注視目標のうち少なくとも一方を前記情報提示系の光軸に直交する方向に移動するように前記情報提示系を制御する
ことを特徴とする請求項１に記載の眼科検査装置。
【請求項３】
操作部をさらに含み、
前記制御部は、前記操作部から入力される信号に基づいて前記左注視目標及び前記右注視目標のうち少なくとも一方を移動するように前記情報提示系を制御する
ことを特徴とする請求項２に記載の眼科検査装置。
【請求項４】
前記制御部は、前記見かけの位置に応じて前記左注視目標及び前記右注視目標のうち少なくとも一方のサイズを変更するように前記情報提示系を制御する
ことを特徴とする請求項１〜請求項３のいずれか一項に記載の眼科検査装置。
【請求項５】
前記制御部は、前記左注視目標及び前記右注視目標のそれぞれの少なくとも一部の形態を変化させるように前記情報提示系を制御する
ことを特徴とする請求項１〜請求項４のいずれか一項に記載の眼科検査装置。
【請求項６】
前記左パースペクティブ画像及び前記右パースペクティブ画像のそれぞれに対して前記所定距離に応じてぼかし処理を施す画像処理部を含む
ことを特徴とする請求項１〜請求項５のいずれか一項に記載の眼科検査装置。
【請求項７】
前記左パースペクティブ画像及び前記右パースペクティブ画像のそれぞれは、前記所定距離に応じた２以上の画像を含み、
前記制御部は、前記所定距離に応じた画像をそれぞれ前記左表示部及び前記右表示部に表示させる
ことを特徴とする請求項１〜請求項６のいずれか一項に記載の眼科検査装置。
【請求項８】
前記左パースペクティブ画像及び前記右パースペクティブ画像のそれぞれは、下方が近方に対応し、上方が遠方に対応する画像である
ことを特徴とする請求項７に記載の眼科検査装置。
【請求項９】
前記左パースペクティブ画像及び前記右パースペクティブ画像のそれぞれは、前記左被検眼及び前記右被検眼のそれぞれの上方位置から見た遠方画像を含む
ことを特徴とする請求項７又は請求項８に記載の眼科検査装置。
【請求項１０】
前記左被検眼を他覚的に測定するための左他覚測定光学系と、
前記右被検眼を他覚的に測定するための右他覚測定光学系と、
を含む
ことを特徴とする請求項１〜請求項９のいずれか一項に記載の眼科検査装置。
【請求項１１】
前記情報提示系は、
前記左表示部に表示された視標を前記左被検眼に提示する左視標提示光学系と、
前記右表示部に表示された視標を前記右被検眼に提示する右視標提示光学系と、
を含む
ことを特徴とする請求項１〜請求項１０のいずれか一項に記載の眼科検査装置。
【発明の詳細な説明】
【技術分野】
【０００１】
本発明は、眼科検査装置に関する。
【背景技術】
【０００２】
眼科分野や眼鏡店などにおいて、視力測定用のランドルト環や乱視測定用の放射チャート等の視標を被検眼に提示し、その視標の見え方に基づいて被検眼の視力値を求める自覚検査が広く実施されている。自覚検査では、検者が、被検者に対し視標の見え方を質問し、その応答内容に基づいて次に提示する視標の選択や視力値の決定を行う。また、制御部が所定の制御プログラムに従って視標や光学系を制御することにより、自覚検査を自動的に実行する眼科検査装置もある。
【０００３】
例えば、特許文献１には、本体部に各種視標を表示可能な液晶表示器が格納され、両眼について自覚検査及び他覚測定を実行可能な眼科検査装置が開示されている。この眼科検査装置では、両眼のそれぞれに固視標として風景チャートが提示され、自覚検査や他覚測定が両眼について同時に実行される。
【先行技術文献】
【特許文献】
【０００４】
【特許文献１】特許第４３０２５２５号明細書
【発明の概要】
【発明が解決しようとする課題】
【０００５】
しかしながら、特許文献１に開示された眼科検査装置では、被検眼からの固視標の提示距離にかかわらず両眼に同じ固視標が提示され、両眼に提示される固視標に視差が設けられていない。それにより、自然視に近い状態で他覚測定を行うことが難しくなり、他覚測定結果の信頼性を低下させる要因の１つとなる可能性がある。
【０００６】
本発明は、このような事情に鑑みてなされたものであり、その目的は、より自然視に近い状態で眼科検査が可能な眼科検査装置を提供することである。
【課題を解決するための手段】
【０００７】
実施形態に係る眼科検査装置は、情報提示系と、制御部とを含む。情報提示系は、左被検眼に提示される情報を表示する左表示部と、右被検眼に提示される情報を表示する右表示部とを含む。制御部は、左被検眼から所定距離だけ離れた見かけの位置に左注視目標を提示するとともに、右被検眼から所定距離だけ離れた見かけの位置に右注視目標を提示するように情報提示系を制御し、かつ、所定距離に対応する両眼視差に応じた左パースペクティブ画像及び右パースペクティブ画像をそれぞれ左表示部及び右表示部に表示させる。
【発明の効果】
【０００８】
この発明に係る眼科検査装置によれば、より自然視に近い状態で眼科検査を行うことができるようになる。
【図面の簡単な説明】
【０００９】
【図１】実施形態に係る眼科検査装置の外観構成を示す概略図。
【図２】実施形態に係る眼科検査装置の構成例を示す概略図。
【図３】実施形態に係る眼科検査装置の光学系の構成例を示す概略図。
【図４】実施形態に係る眼科検査装置の制御系の構成例を示す概略図。
【図５】実施形態に係る眼科検査装置の動作説明図。
【図６】実施形態に係る眼科検査装置の動作説明図。
【図７】実施形態に係る視標画像の説明図。
【図８】実施形態に係る視標画像の説明図。
【図９】実施形態に係る視標画像の説明図。
【図１０】実施形態に係る視標画像の説明図。
【図１１】実施形態に係る視標画像の説明図。
【図１２】実施形態に係る視標画像の説明図。
【図１３】実施形態に係る眼科検査装置の動作例のフロー図。
【図１４】実施形態に係る眼科検査装置の動作例のフロー図。
【発明を実施するための形態】
【００１０】
この発明に係る眼科検査装置の実施形態の例について、図面を参照しながら詳細に説明する。なお、この明細書において引用された文献の記載内容や任意の公知技術を、以下の実施形態に援用することが可能である。
【００１１】
［構成］
図１に、実施形態に係る眼科検査装置の外観構成の概略を模式的に示す。実施形態に係る眼科検査装置１は、自覚検査と他覚測定とが可能な眼科装置である。自覚検査は、被検者の眼（被検眼）に視標を提示し、その見え方に関する被検者からの応答に基づいて被検眼に関する情報を取得するための検査である。他覚測定は、被検者からの応答を参照することなく、主として物理的な手法を用いて被検眼に関する情報を取得するための測定である。
【００１２】
眼科検査装置１は、有線又は無線の通信路を介して図示しない検者用コントローラ（例えば、タブレット端末）や被検者用コントローラ（例えば、コントロールレバーユニット）などと通信接続が可能である。眼科検査装置１は、検者用コントローラや被検者用コントローラに対する操作に基づいて制御される。以下では、被検者から見て左右方向をＸ方向とし、上下方向をＹ方向とし、被検者から見て測定ヘッド１００の奥行き方向をＺ方向として説明する場合がある。
【００１３】
眼科検査装置１は、測定ヘッド１００と、制御装置２００とを含む。測定ヘッド１００には、上記の自覚検査や他覚測定等を行うための光学系や光学素子を移動させる移動機構系が設けられている。制御装置２００は、測定ヘッド１００に対する制御や、検者用コントローラや被検者用コントローラに対する制御を行う。
【００１４】
眼科検査装置１は、検眼用テーブル３を備える。検眼用テーブル３は、測定ヘッド１００の支持や検者用コントローラ又は被検者用コントローラの載置などのための机である。検眼用テーブル３は、支持部４によって床の上に支持された状態で設置される。検眼用テーブル３は、高さを上下に調節可能である。
【００１５】
検眼用テーブル３には、支柱５が立設される。支柱５の先端部には、横アーム６の基端部が保持される。横アーム６の先端部には、測定ヘッド１００が吊り下げられている。例えば、支柱５は、アーム移動機構７により軸を中心とする回動方向（矢印方向ｊ、矢印方向ｋ）に回動可能である。それにより、横アーム６は、軸を中心に回動される。すなわち、測定ヘッド１００は、軸を中心に回動される。それにより、検眼用テーブル３の上方の検査空間から測定ヘッド１００を退避させることが可能になり、検眼用テーブル３上の空きスペースを利用して効率的に検査を進めることができるようになる。
【００１６】
アーム移動機構７は、アーム上下動機構として、支柱５の先端部を上下方向（矢印方向ｈ）に移動させるようにしてもよい。それにより、横アーム６は、上下方向に移動される。すなわち、測定ヘッド１００は、上下方向に移動される。アーム移動機構７は、アーム伸縮機構として、検眼用テーブル３から上方に突出する支柱５を伸縮させることにより横アーム６を上下方向に移動させてもよい。この場合でも、測定ヘッド１００を被検者の座高に合わせて上下したり、検眼用テーブル３の上方の検査空間から測定ヘッド１００を退避させたりすることが可能になる。
【００１７】
測定ヘッド１００を保管するための台などを別途に設け、前述の回動や上下方向の移動により測定ヘッド１００を安定した位置に配置するようにしてもよい。この場合、測定ヘッド１００の重さに起因した横アーム６への継続的な負荷の低減が可能になる。
【００１８】
アーム移動機構７は、操作者による操作を受け、手動により軸を中心とする回動方向や上下方向に横アーム６を移動させることが可能である。アーム移動機構７は、電気的な機構で横アーム６を移動させてもよい。この場合、アーム移動機構７を移動させるための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。
【００１９】
支持部４の側面には格納部９が設けられ、制御装置２００などが格納される。なお、検眼用テーブル３の構成は、図１に示す構成に限定されるものではない。
【００２０】
〔測定ヘッド〕
測定ヘッド１００は、左眼用検査ユニット１２０Ｌ及び右眼用検査ユニット１２０Ｒを含む。左眼用検査ユニット１２０Ｌ及び右眼用検査ユニット１２０Ｒには、それぞれ検眼窓１３０Ｌ、１３０Ｒが形成されている。被検者の左眼（左被検眼）は、検眼窓１３０Ｌを通じて検査が行われる。被検者の右眼（右被検眼）は、検眼窓１３０Ｒを通じて検査が行われる。
【００２１】
図２に、実施形態に係る測定ヘッド１００の構成例のブロック図を示す。測定ヘッド１００は、移動機構系１１０と、左眼用検査ユニット１２０Ｌと、右眼用検査ユニット１２０Ｒとを含む。移動機構系１１０は、横アーム６に吊り下げられる。左眼用検査ユニット１２０Ｌ及び右眼用検査ユニット１２０Ｒは、移動機構系１１０により独立に又は連動して３次元的に移動される。左眼用検査ユニット１２０Ｌは、左被検眼の検査用の光学系を収容する。右眼用検査ユニット１２０Ｒは、右被検眼の検査用の光学系を収容する。
【００２２】
（移動機構系）
移動機構系１１０は、水平動機構１１１と、回動機構１１２Ｌ、１１２Ｒと、上下動機構１１３Ｌ、１１３Ｒとを含む。移動機構系１１０は、アーム移動機構７をさらに含んでもよい。
【００２３】
水平動機構１１１は、回動機構１１２Ｌ、１１２Ｒ、上下動機構１１３Ｌ、１１３Ｒ、左眼用検査ユニット１２０Ｌ及び右眼用検査ユニット１２０Ｒを水平方向（横方向（Ｘ方向）、前後方向（Ｚ方向））に移動させる。それにより、被検眼の配置位置に応じて、検眼窓１３０Ｌ、１３０Ｒの水平方向の位置を調整することができる。水平動機構１１１は、例えば、パルスモータや送りネジなどを用いた公知の構成を備え、制御装置２００からの制御信号を受けて回動機構１１２Ｌ、１１２Ｒ等を水平方向に移動させる。水平動機構１１１は、操作者による操作を受け、前述の回動機構１１２Ｌ、１１２Ｒ等を水平方向に手動で移動させることも可能である。
【００２４】
回動機構１１２Ｌは、水平動機構１１１に連結された所定の第１軸を中心に上下動機構１１３Ｌ及び左眼用検査ユニット１２０Ｌを回動させる。第１軸は、略垂直方向の延びる軸であり、水平面に対して任意の角度で傾斜可能であってよい。回動機構１１２Ｌは、例えば、パルスモータや回動軸などを用いた公知の構成を備え、制御装置２００からの制御信号を受けて第１軸を中心に左眼用検査ユニット１２０Ｌ等を回動させる。回動機構１１２Ｌは、操作者による操作を受け、第１軸を中心に左眼用検査ユニット１２０Ｌ等を手動で回動させることも可能である。
【００２５】
回動機構１１２Ｒは、水平動機構１１１に連結された所定の第２軸を中心に上下動機構１１３Ｒ及び右眼用検査ユニット１２０Ｒを回動させる。第２軸は、第１軸と同様に略垂直方向の延びる軸であり、水平面に対して任意の角度で傾斜可能であってよい。第２軸は、第１軸から所定の距離だけ離間した位置に配置された軸である。第１軸と第２軸との間の距離は、調整可能である。回動機構１１２Ｒは、回動機構１１２Ｌの回動に連動して右眼用検査ユニット１２０Ｒ等を回動させてもよいし、回動機構１１２Ｌの回動とは独立に右眼用検査ユニット１２０Ｒ等を回動させてもよい。回動機構１１２Ｒは、回動機構１１２Ｌと同様の公知の構成を備え、制御装置２００からの制御信号を受けて第２軸を中心に右眼用検査ユニット１２０Ｒ等を回動させる。回動機構１１２Ｒは、操作者による操作を受け、第２軸を中心に右眼用検査ユニット１２０Ｒ等を手動で回動させることも可能である。
【００２６】
回動機構１１２Ｌ、１１２Ｒにより左眼用検査ユニット１２０Ｌ及び右眼用検査ユニット１２０Ｒを回動させることにより、左眼用検査ユニット１２０Ｌと右眼用検査ユニット１２０Ｒとの向きを相対的に変更することが可能である。例えば、左眼用検査ユニット１２０Ｌと右眼用検査ユニット１２０Ｒとが、被検者の左右眼の眼球回旋点を中心にそれぞれ逆方向に回転される。それにより、被検眼を開散、輻輳させることができる。
【００２７】
上下動機構１１３Ｌは、左眼用検査ユニット１２０Ｌを上下方向（Ｙ方向）に移動させる。それにより、被検眼の配置位置に応じて、検眼窓１３０Ｌの高さ方向の位置を調整することができる。上下動機構１１３Ｌは、例えば、パルスモータや送りネジなどを用いた公知の構成を備え、制御装置２００からの制御信号を受けて左眼用検査ユニット１２０Ｌを上下方向に移動させる。上下動機構１１３Ｌは、操作者による操作を受け、左眼用検査ユニット１２０Ｌを上下方向に手動で移動させることも可能である。
【００２８】
上下動機構１１３Ｒは、右眼用検査ユニット１２０Ｒを上下方向に移動させる。それにより、被検眼の配置位置に応じて、検眼窓１３０Ｒの高さ方向の位置を調整することができる。上下動機構１１３Ｒは、上下動機構１１３Ｌによる移動に連動して右眼用検査ユニット１２０Ｒを移動させてもよいし、上下動機構１１３Ｌによる移動とは独立に右眼用検査ユニット１２０Ｒを移動させてもよい。上下動機構１１３Ｒは、上下動機構１１３Ｌと同様の公知の構成を備え、制御装置２００からの制御信号を受けて右眼用検査ユニット１２０Ｒを上下方向に移動させる。上下動機構１１３Ｒは、操作者による操作を受け、右眼用検査ユニット１２０Ｒを上下方向に手動で移動させることも可能である。
【００２９】
（各検査ユニットの構成）
左眼用検査ユニット１２０Ｌ及び右眼用検査ユニット１２０Ｒは、個別に動作可能である。
【００３０】
左眼用検査ユニット１２０Ｌは、第１視標提示部１２２Ｌと、第１他覚測定部１２３Ｌと、第１撮影部１２４Ｌとを含む。第１視標提示部１２２Ｌは、複数の視標を選択的に左被検眼に提示する。第１他覚測定部１２３Ｌは、左被検眼の他覚屈折測定を行うために用いられる。第１撮影部１２４Ｌは、左被検眼の前眼部を撮影する。左眼用検査ユニット１２０Ｌには、左被検眼と後述の偏向部材Ｐとの間に配置可能な複数の光学素子を選択的に左被検眼に適用する光学素子適用部が設けられていてもよい。
【００３１】
右眼用検査ユニット１２０Ｒは、第２視標提示部１２２Ｒと、第２他覚測定部１２３Ｒと、第２撮影部１２４Ｒとを含む。第２視標提示部１２２Ｒは、複数の視標を選択的に右被検眼に提示する。第２他覚測定部１２３Ｒは、右被検眼の他覚屈折測定を行うために用いられる。第２撮影部１２４Ｒは、右被検眼の前眼部を撮影する。右眼用検査ユニット１２０Ｒには、右被検眼と後述の偏向部材Ｐとの間に配置可能な複数の光学素子を選択的に右被検眼に適用する光学素子適用部が設けられていてもよい。
【００３２】
左眼用検査ユニット１２０Ｌ及び右眼用検査ユニット１２０Ｒには、図３に示すような光学系が収容されている。左眼用検査ユニット１２０Ｌ及び右眼用検査ユニット１２０Ｒは、その光学系を動作させることで、左被検眼ＥＬ及び右被検眼ＥＲのそれぞれに対して、自覚検査と他覚屈折測定とを実行するように構成されている。検者や被検者は、コントローラ等を適宜操作することにより検査を行う。
【００３３】
各検査ユニットに上記の光学素子適用部が設けられる場合、光学素子適用部は、複数の光学素子と駆動機構とを含む。複数の光学素子は、被検眼の視機能を検査するための各種レンズからなる集合であり、例えば、球面レンズ、円柱レンズ及びプリズムレンズのうち少なくとも１つを含む。複数の光学素子は、検眼パラメータの種別ごとに組分けされる。例えば、検眼パラメータの種別は、球面度数、乱視度数、乱視軸角度、加入度数、瞳孔間距離、プリズム度数及びプリズム基底方向のうち少なくとも１つを含む。検眼パラメータの種別ごとの組分けとして、球面度数の組は、複数の球面レンズを含み、それぞれ異なる球面度数の球面レンズにより構成される。乱視度数の組は、複数の円柱レンズを含み、それぞれ異なる乱視度数の円柱レンズにより構成される。なお、乱視度数の組は、さらに乱視軸角度に合わせて切り替え可能となっていてもよい。加入度数の組は、挿脱可能なプラス度数の球面レンズやマイナス度数の球面レンズにより構成される。プリズム度数の組は、複数のプリズムレンズを含み、それぞれ異なるプリズム度数のプリズムレンズにより構成される。なお、プリズム度数の組は、さらにプリズム基底方向に合わせて切り替え可能となっていてもよい。瞳孔間距離は、被検眼の瞳孔間距離に合わせて設定される検査条件である。瞳孔間距離は、左眼用検査ユニット１２０Ｌと右眼用検査ユニット１２０Ｒの一方又は双方が、水平方向（図１の矢印方向ｍ）にスライドすることにより設定される。
【００３４】
各検査ユニットに含まれる駆動機構は、複数の光学素子のそれぞれを検眼窓に配置させ、且つ、検眼窓から退避させることが可能に構成される。各検査ユニットに含まれる駆動機構は、制御装置２００から制御信号を受けて光学素子を切り替える。それにより、球面度数、乱視度数、乱視軸角度、加入度数、瞳孔間距離、プリズム度数及びプリズム基底方向のうち少なくとも１つを切り替えて被検眼に適用することが可能である。
【００３５】
〔光学系の構成〕
図３に、左眼用検査ユニット１２０Ｌ及び右眼用検査ユニット１２０Ｒに収容された光学系の構成例のブロック図を示す。左眼用検査ユニット１２０Ｌは、偏向部材Ｐと、視標提示光学系１０Ｌと、撮影光学系２０Ｌと、アライメント光学系３０Ｌ、３１Ｌと、レフ測定光学系４０Ｌと、ケラト測定光学系５０Ｌとを含む。左眼用検査ユニット１２０Ｌには、対物レンズ６０と、移動レンズ７０と、反射ミラーＭと、ビームスプリッタＢＳ１〜ＢＳ３とが設けられている。右眼用検査ユニット１２０Ｒは、偏向部材Ｐと、視標提示光学系１０Ｒと、撮影光学系２０Ｒと、アライメント光学系３０Ｒ、３１Ｒと、レフ測定光学系４０Ｒと、ケラト測定光学系５０Ｒとを含む。右眼用検査ユニット１２０Ｒには、対物レンズ６０と、移動レンズ７０と、反射ミラーＭと、ビームスプリッタＢＳ１〜ＢＳ３とが設けられている。左眼用検査ユニット１２０Ｌの光学系と右眼用検査ユニット１２０Ｒの光学系とは左右対称に構成されている。以下、特に指摘しない限り、左眼用検査ユニット１２０Ｌの光学系について説明することとする。
【００３６】
視標提示光学系１０Ｌは、左被検眼ＥＬの眼底Ｅｆに視標を投影するための光学系である。視標提示光学系１０Ｌは、ＬＣＤ（Ｌｉｑｕｉｄ  Ｃｒｙｓｔａｌ  Ｄｉｓｐｌａｙ）１１と、移動レンズ７０と、反射ミラーＭとを含む。ＬＣＤ１１は、視力測定用や視機能検査用の各種の視標（チャート）を表示する。視力測定用の視標には、風景チャートからなる固視標、視力検査用のランドルト環等の視力チャート、ＥＴＤＲＳ（Ｅａｒｌｙ  Ｔｒｅａｔｍｅｎｔ  Ｄｉａｂｅｔｉｃ  Ｒｅｔｉｎｏｐａｔｈｙ  Ｓｔｕｄｙ）視力チャートなどがある。視機能検査用の視標には、クロスシリンダテストチャート、乱視検査用の放射チャート、斜位検査用の十字チャート、レッドグリーンテストチャート、スクリーニング視標、クロスリングチャート、回旋斜位チャート、ウオース４点チャートなどがある。ＬＣＤ１１には、これらの視標が選択的に表示される。視標提示光学系１０Ｌには、ＬＣＤ１１に代えて、ＥＬ（エレクトロルミネッセンス）などを利用した電子表示デバイスや、回転するガラス板等に描画された複数の視標のうち１以上の視標を光軸上に適宜配置するもの（ターレットタイプ）が設けられていてもよい。
【００３７】
視標提示光学系１０Ｌは、左被検眼ＥＬから所定の検査距離だけ離れた位置に相当する位置（左被検眼ＥＬから所定距離だけ離れた見かけの位置）に左注視目標を提示する。視標提示光学系１０Ｒは、右被検眼ＥＲから上記の検査距離だけ離れた位置に相当する位置（右被検眼ＥＲから上記の所定距離だけ離れた見かけの位置）に右注視目標を提示する。
【００３８】
移動レンズ７０は、視標提示光学系１０Ｌの光軸方向に移動可能である。移動レンズ７０は、駆動機構７０Ｌにより移動される。駆動機構７０Ｌは、制御装置２００からの制御信号を受けて移動レンズ７０を移動させる。それにより、左被検眼ＥＬに付加される球面度を変更することが可能である。例えば、レフ測定時に左被検眼ＥＬの屈折力に応じた移動量だけ移動レンズ７０を光軸方向に移動させることにより、左被検眼ＥＬに対する固視雲霧を行うことができる。また、自覚検査時に、被検眼の遠点に相当する位置、近点に相当する位置、又はその中間の任意の位置に視標を提示することができ、任意の検査距離で検査を行うことができる。
【００３９】
ＬＣＤ１１からの光は移動レンズ７０を通過し、反射ミラーＭにより反射される。反射ミラーＭにより反射された光は、ビームスプリッタＢＳ２を透過し、ビームスプリッタＢＳ１により反射される。ビームスプリッタＢＳ１により反射された光は、対物レンズ６０を通過し、偏向部材Ｐにより左被検眼ＥＬの眼底Ｅｆに向けて偏向される。
【００４０】
視標提示光学系１０Ｌには、左被検眼ＥＬの乱視度数及び乱視軸角度を矯正するためのＶＣＣレンズが設けられていてもよい。
【００４１】
撮影光学系２０Ｌは、左被検眼ＥＬの前眼部を撮影するための光学系である。撮影光学系２０Ｌは、ＣＣＤ（Ｃｈａｒｇｅｄ−Ｃｏｕｐｌｅｄ  Ｄｅｖｉｃｅ）２１を含む。例えば図示しない前眼部照明系により左被検眼ＥＬの前眼部が照明されると、偏向部材Ｐには、左被検眼ＥＬの前眼部からの反射光が入射する。偏向部材Ｐは、反射光を対物レンズ６０に向けて偏向する。偏向部材Ｐにより偏向された反射光は、対物レンズ６０を通過し、ビームスプリッタＢＳ１、ＢＳ３を透過し、図示しないＣＣＤレンズ等によりＣＣＤ２１の受光面に結像される。また、撮影光学系２０Ｌは、レフ測定やケラト測定において左被検眼ＥＬに投射された測定光束の反射光を受光する受光系として機能する。
【００４２】
アライメント光学系３０Ｌは、左被検眼ＥＬに対する左眼用検査ユニット１２０Ｌの光学系のＸＹ方向のアライメントを行うための光学系である。アライメント光学系３０Ｌは、アライメント用の光束（平行光）を左被検眼ＥＬに投射する。アライメント用の光束は、ビームスプリッタＢＳ３により反射され、ビームスプリッタＢＳ１を透過し、対物レンズ６０を通過して略平行光束とされ、偏向部材Ｐにより左被検眼ＥＬの角膜に向けて偏向される。左被検眼ＥＬに投射されたアライメント用の光束の角膜による反射光は、入射経路と同じ経路で戻り、ビームスプリッタＢＳ３を通過し、撮影光学系２０ＬのＣＣＤ２１により受光される。
【００４３】
アライメント光学系３１Ｌは、互いに異なる２以上の方向から左被検眼ＥＬの前眼部を実質的に同時に撮影するための２以上のカメラを含む。これらのカメラを用いて取得された互いに異なる２以上の方向からの前眼部の撮影画像に基づいて得られる視差からＺ方向（作動距離方向）のアライメントが行われる。
【００４４】
レフ測定光学系４０Ｌは、左被検眼ＥＬのレフ測定（他覚屈折測定）を行うための光学系である。レフ測定光学系４０Ｌにより出射されたレフ測定用の光束は、ビームスプリッタＢＳ２により反射され、ビームスプリッタＢＳ１により反射され、対物レンズ６０を通過し、偏向部材Ｐにより左被検眼ＥＬの眼底Ｅｆに向けて偏向される。左被検眼ＥＬに投射されたレフ測定用の光束の眼底からの反射光は、入射経路と同じ経路で戻り、ビームスプリッタＢＳ１、ＢＳ３を通過し、撮影光学系２０ＬのＣＣＤ２１により受光される。
【００４５】
ケラト測定光学系５０Ｌは、左被検眼ＥＬのケラト測定を行うための光学系である。ケラト測定光学系５０Ｌにより出射されたケラトリング光源からのリング状光束は、偏向部材Ｐにて偏向され左被検眼ＥＬの角膜を照明する。左被検眼ＥＬの角膜からの反射光は偏向部材Ｐにより偏向され、対物レンズ６０を通過し、ビームスプリッタＢＳ１、ＢＳ３を透過し、図示しないＣＣＤレンズ等によりＣＣＤ２１の受光面にリング状の像として結像される。
【００４６】
測定ヘッド１００は、後述の制御系の制御により、左眼用検査ユニット１２０Ｌ及び右眼用検査ユニット１２０Ｒのそれぞれの光学系のアライメント、他覚式検眼測定、自覚式検眼測定などを自動的に実行するようになっている。測定ヘッド１００は、さらに、両眼バランステストを自動的に実行するようにしてもよい。自覚検査においては、他覚測定にて得られた値（他覚値）が利用される。特に、自覚検査のうちのクロスシリンダテストにおいては、他覚測定にて得られた乱視度数及び乱視軸角度が利用される。
【００４７】
〔制御系〕
次に、図４を参照しながら、実施形態の眼科検査装置１の制御系について説明する。図４に示すブロック図は、眼科検査装置１の制御系の主要部分の概略構成を表している。図４において、図１〜図３と同様の部分には同一符号を付し、適宜説明を省略する。
【００４８】
眼科検査装置１の制御系は、図４に示すように、装置各部を制御する制御装置２００を中心に構成されている。制御装置２００は、例えば、格納部９に格納されている。制御装置２００は、制御部２０１と、記憶部２０２とを含む。制御部２０１は、表示制御部２０１Ａと、視標制御部２０１Ｂとを含む。
【００４９】
記憶部２０２には、後述するような処理を実行するための制御プログラムを含む眼科検査用のコンピュータプログラムや、ＬＣＤ１１に表示される視標パターンの画像データなどが記憶されている。視標パターンの画像データは、左被検眼ＥＬ及び右被検眼ＥＲに提示される視標の画像データである視標画像データ２０２Ａである。例えば、視標画像データ２０２Ａは、複数の検査距離に対応した複数の視標の画像データを含む。これら画像データは、あらかじめ生成された画像データであってもよいし、検査距離が変更されるたびに変更後の検査距離に基づいて生成された画像データであってもよい。
【００５０】
また、記憶部２０２には、撮影光学系２０Ｌ、２０Ｒを用いて取得された左被検眼ＥＬの前眼部の画像、右被検眼ＥＲの前眼部の画像、レフ測定結果、ケラト測定結果、自覚検査結果などが保存される。制御部２０１は、記憶部２０２に記憶されたコンピュータプログラムを読み出し、記憶部２０２に記憶された画像データなどを参照しつつコンピュータプログラムを順次に実行する。このような制御部２０１は、ＣＰＵ（Ｃｅｎｔｒａｌ  Ｐｒｏｃｅｓｓｉｎｇ  Ｕｎｉｔ）等の演算制御用プロセッサを含む。
【００５１】
眼科検査装置１にはコンピュータ装置（図示せず）が接続されていてもよい。この場合、コンピュータ装置は、眼科検査装置１のコンソールとして用いられるとともに、眼科検査装置１による検査結果を蓄積して管理するために用いられる。なお、このコンピュータ装置のＣＰＵや記憶装置を制御装置２００として構成することも可能である。
【００５２】
制御装置２００（制御部２０１）は、左眼用検査ユニット１２０Ｌ及び右眼用検査ユニット１２０Ｒの動作制御を行う。具体的には、制御装置２００は、左眼用検査ユニット１２０Ｌ及び右眼用検査ユニット１２０Ｒを水平動させる水平動機構１１１を制御する。制御装置２００は、左眼用検査ユニット１２０Ｌを回動させる回動機構１１２Ｌと、左眼用検査ユニット１２０Ｌを上下動させる上下動機構１１３Ｌとをそれぞれ制御する。同様に、制御装置２００は、右眼用検査ユニット１２０Ｒを回動させる回動機構１１２Ｒと、右眼用検査ユニット１２０Ｒを上下動させる上下動機構１１３Ｒとをそれぞれ制御する。制御装置２００は、横アーム６を上下動させたり回動させたりするアーム移動機構７を制御するようにしてもよい。
【００５３】
制御装置２００（制御部２０１）は、左眼用検査ユニット１２０Ｌ及び右眼用検査ユニット１２０Ｒに格納された光学系の動作を制御する。制御装置２００（視標制御部２０１Ｂ）は、例えば、ＬＣＤ１１の表示制御を実行する。ＬＣＤ１１の表示制御には、視標の切り替え制御、視標の点灯制御、視標の消灯制御等がある。また、制御装置２００（制御部２０１）は、移動レンズ７０を光軸方向に移動させる駆動機構７０Ｌ、７０Ｒの動作制御などを実行する。
【００５４】
制御装置２００（制御部２０１）は、ＣＣＤ２１による受光制御、アライメント光学系３０Ｌ、３１Ｌ、３０Ｒ、３１Ｒ、レフ測定光学系４０Ｌ、４０Ｒ、ケラト測定光学系５０Ｌ、５０Ｒなどの動作制御などを実行する。アライメント光学系３０Ｌにより左被検眼ＥＬに投射されたスポット光の像の位置と左被検眼ＥＬの瞳孔中心の位置とのずれがキャンセルされるように、左被検眼ＥＬに対する左眼用検査ユニット１２０Ｌの光学系のＸＹ方向のアライメントを行うことが可能である。アライメント光学系３０Ｒも同様に、右被検眼ＥＲに対する右眼用検査ユニット１２０Ｒの光学系のＸＹ方向のアライメントを行うことが可能である。アライメント光学系３１Ｌを用いて取得された互いに異なる２以上の方向からの左被検眼ＥＬの前眼部の撮影画像に基づいて得られる視差からＺ方向のアライメントを行うことが可能である。アライメント光学系３１Ｒも同様に、互いに異なる２以上の方向からの右被検眼ＥＲの前眼部の撮影画像に基づいて得られる視差からＺ方向のアライメントを行うことが可能である。レフ測定光学系４０Ｌ、４０Ｒの動作制御には、レフ測定用の光束を出射する測定用光源の制御などがある。ケラト測定光学系５０Ｌ、５０Ｒの動作制御には、ケラトリング光源の制御などがある。
【００５５】
各検査ユニットに光学素子適用部が設けられる場合、制御装置２００（制御部２０１）は、複数の光学素子を選択的に左被検眼ＥＬ及び右被検眼ＥＲの少なくとも一方に適用するための駆動機構の制御などを実行する。
【００５６】
制御装置２００は、検者用コントローラ３００と被検者用コントローラ３１０とそれぞれ有線又は無線の通信路を介して接続可能である。制御装置２００は、検者用コントローラ３００や被検者用コントローラ３１０に対する操作内容に対応した操作信号を受けて、眼科検査装置１の各部を制御する。制御装置２００（表示制御部２０１Ａ）は、操作画面や測定を行うための各種情報などを検者用コントローラ３００や被検者用コントローラ３１０の表示部に表示させることが可能である。例えば、制御装置２００は、検者用コントローラ３００の表示部に検査中の視標を表示させる。また、制御装置２００は、被検者用コントローラ３１０の表示部に操作画面などを表示させる。
【００５７】
視標制御部２０１Ｂは、左被検眼ＥＬから所定の検査距離だけ離れた位置に相当する位置に左注視目標を提示するとともに、右被検眼ＥＲから上記の検査距離だけ離れた位置に相当する位置に右注視目標を提示するように視標提示光学系１０Ｌ、１０Ｒを制御する。さらに、視標制御部２０１Ｂは、上記の検査距離に対応する両眼視差に応じた左パースペクティブ画像及び右パースペクティブ画像をそれぞれ視標提示光学系１０ＬのＬＣＤ１１及び視標提示光学系１０ＲのＬＣＤ１１に表示させる。以下、説明の便宜上、視標提示光学系１０ＬのＬＣＤ１１を「左ＬＣＤ１１」と表記し、視標提示光学系１０ＲのＬＣＤ１１を「右ＬＣＤ１１」と表記する場合がある。
【００５８】
視標制御部２０１Ｂは、左注視目標及び右注視目標のうち少なくとも一方を視標提示光学系１０Ｌ又は視標提示光学系１０Ｒの光軸に直交する方向に移動するようにＬＣＤ１１を制御することが可能である。すなわち、視標制御部２０１Ｂは、左パースペクティブ画像中で左注視目標の位置が移動するように左ＬＣＤ１１を制御することが可能である。また、視標制御部２０１Ｂは、右パースペクティブ画像中で右注視目標の位置が移動するように右ＬＣＤ１１を制御することが可能である。視標制御部２０１Ｂは、自覚検査の確認のため、上記のようにＬＣＤ１１を制御することができる。
【００５９】
視標制御部２０１Ｂは、検者用コントローラ３００又は被検者用コントローラ３１０に対する操作内容に基づく操作信号（信号）に基づいて、左注視目標及び右注視目標のうち少なくとも一方を視標提示光学系１０Ｌ、１０Ｒの光軸に直交する方向に移動するようにＬＣＤ１１を制御することが可能である。それにより、検者等が左注視目標や右注視目標の位置を指定することができる。
【００６０】
視標制御部２０１Ｂは、左被検眼ＥＬからの検査距離（又は、左被検眼ＥＬから所定の検査距離だけ離れた位置に相当する位置（左被検眼ＥＬから所定距離だけ離れた見かけの位置））に応じて左注視目標のサイズを変更するように左ＬＣＤ１１を制御することが可能である。同様に、視標制御部２０１Ｂは、右被検眼ＥＲからの検査距離（又は、右被検眼ＥＲから所定の検査距離だけ離れた位置に相当する位置（右被検眼ＥＲから所定距離だけ離れた見かけの位置））に応じて右注視目標のサイズを変更するように右ＬＣＤ１１を制御することが可能である。視標制御部２０１Ｂは、左注視目標及び右注視目標のうち少なくとも一方のサイズを変更してもよい。
【００６１】
なお、被検眼の動き等でアライメント状態が変化しても測定精度に影響しないように他覚測定を行う必要がある。前述の光学系を用いたアライメントの動作原理、自覚検査の測定原理、他覚測定の測定原理、角膜形状の測定原理、ＬＣＤに対する視標の表示制御などは既に公知であるので、詳細な説明は省略する。
【００６２】
制御装置２００（制御部２０１）は、演算部２１０を制御する。演算部２１０は、左眼用検査ユニット１２０Ｌ又は右眼用検査ユニット１２０Ｒを用いた他覚屈折測定による測定結果に基づいて他覚値を求める。演算部２１０は、例えば、レフ測定光学系４０Ｌ、４０Ｒにより眼底Ｅｆに投射されたリング状の測定光束の戻り光をＣＣＤ２１により受光することにより取得されたリング視標像の形状を公知の手法で解析することにより他覚値を求める。演算部２１０は、例えば、ケラト測定光学系５０Ｌ、５０Ｒにより被検眼の角膜に投射されたリング状光束の角膜による反射光束をＣＣＤ２１により受光することにより取得された像に対して所定の演算処理を施す。それにより、角膜の形状を表すパラメータを他覚値として算出することが可能である。制御装置２００は、演算部２１０を含んでもよい。
【００６３】
また、演算部２１０は、画像処理部２１０Ａを含む。画像処理部２１０Ａは、記憶部２０２に記憶されている画像データに基づく視標画像の少なくとも一部に対して所定の画像処理を施す。特に、画像処理部２１０Ａは、視標画像の少なくとも一部に対してぼかし処理を施す。ぼかし処理は、当該画素位置における画素値を当該画素値とその周辺の画素位置における１以上の画素値とを用いて平均化する処理である。例えば、画像処理部２１０Ａは、検査距離が短い近方の視標画像について遠方に相当する領域に対してぼかし処理を施す。また、例えば、画像処理部２１０Ａは、検査距離が長い遠方の視標画像について近方に相当する領域に対してぼかし処理を施す。すなわち、画像処理部２１０Ａは、検査距離に応じて視標画像の少なくとも一部に対してぼかし処理を施すことが可能である。
【００６４】
なお、視標画像に対して施される画像処理には、エッジ強調処理、明るさ調整処理、サイズ変換処理、マスキング処理、及び領域抽出処理の少なくとも１つが含まれていてもよい。この場合、画像処理部２１０Ａは、視標画像の少なくとも一部に対してこれら画像処理の少なくとも１つを施す。
【００６５】
以上のような構成において、制御部２０１は、検査距離に応じて左眼用検査ユニット１２０Ｌ及び右眼用検査ユニット１２０Ｒを左右の被検眼の眼球回旋点を中心にそれぞれ逆方向に回旋させる。さらに、制御部２０１（視標制御部２０１Ｂ）は、検査距離に応じた両眼視差が設けられた一対の視標を同時に左右の被検眼それぞれに提示させる。
【００６６】
図５に、実施形態に係る左眼用検査ユニット１２０Ｌ及び右眼用検査ユニット１２０Ｒの回旋制御の説明図を示す。図５は、上方から見たときの測定ヘッド１００を模式的に表す。図５において、図３と同様の部分には同一符号を付し、適宜説明を省略する。
【００６７】
例えば、検者が検者用コントローラ３００に対して操作を行うことにより検査距離Ｌが指定されると、制御部２０１は、被検者の瞳孔間距離ＰＤと、検査距離Ｌとに基づいて左眼用検査ユニット１２０Ｌ及び右眼用検査ユニット１２０Ｒの回旋角θを求める。瞳孔間距離ＰＤは、標準距離であってよいし、左被検眼ＥＬの瞳孔中心（重心）位置と右被検眼ＥＲの瞳孔中心（重心）位置との間の距離を測定して得られたものであってよい。標準距離は、模型眼により規定された距離であってよい。模型眼には、Ｇｕｌｌｓｔｒａｎｄの模型眼などがある。なお、検査距離は、制御部２０１があらかじめ決められた検査シーケンスに従って指定してもよいし、被検者が被検者用コントローラ３１０に対して操作を行って指定してもよい。
【００６８】
瞳孔間距離ＰＤの半分の距離をｈＰＤとすると、回旋角θは、式（１）により求められる。
【００６９】
【数１】
2018042761.tif 000003
【００７０】
制御部２０１は、式（１）により求められた回旋角θだけ眼球回旋点を中心に左眼用検査ユニット１２０Ｌ及び右眼用検査ユニット１２０Ｒのそれぞれを逆方向に回旋させる。それにより、被検眼を輻輳（又は開散）させることができる。
【００７１】
図６に、実施形態に係る検査距離の説明図を示す。図６は、検査距離に対応する被検者ＰＥ（被検眼）の具体的な注視目標を模式的に表したものである。
【００７２】
実施形態に係る眼科検査装置１において、視標制御部２０１Ｂは、５種類の検査距離（検査距離Ｌ１〜Ｌ５、０＜Ｌ１＜Ｌ２＜Ｌ３＜Ｌ４＜Ｌ５）のそれぞれに応じて視差が設けられた一対の視標を左右の被検眼それぞれに同時に提示することが可能である。検査距離Ｌ１は、被検者が椅子に座った状態で机上に載置された本Ｊ１を見るときの検査距離（例えば、３０ｃｍ）に対応する。検査距離Ｌ２は、被検者が椅子に座った状態で机上に載置されたキーボードＪ２を見るときの検査距離（例えば、４０ｃｍ）に対応する。検査距離Ｌ３は、被検者が椅子に座った状態で机上に載置されたディスプレイ装置Ｊ３を見るときの検査距離（例えば、５０ｃｍ）に対応する。検査距離Ｌ４は、被検者が椅子に座った状態で居室の壁（ブラインドが閉じられた状態）を見るときの検査距離（例えば、２ｍ）に対応する。検査距離Ｌ５は、椅子から立ち上がった被検者ＰＥ´が（ブラインドを開けた状態で）窓Ｗを介しての居室の外の風景を見るときの検査距離（例えば、∞）に対応する。すなわち、検査距離Ｌ５に対応する視標画像は、左被検眼ＥＬ及び右被検眼ＥＲのそれぞれの上方位置から見た遠方画像を含む。なお、他覚測定を行う場合、被検眼に対して検査ユニット（左眼用検査ユニット１２０Ｌ及び右眼用検査ユニット１２０Ｒ）が回旋（上下回旋を含む）するかしないかにかかわらず、風景等の視標画像の略中心に注視目標（注視点）を設定することが可能である。
【００７３】
図７に、実施形態に係る検査距離Ｌ１に対応する一対の視標画像の一例を示す。検査距離としてＬ１が指定されると、視標制御部２０１Ｂは、一対の視標画像ＰＬ１、ＰＲ１を左ＬＣＤ１１及び右ＬＣＤ１１のそれぞれに同時に表示させる。一対の視標画像ＰＬ１、ＰＲ１は、検査距離Ｌ１に応じた視差が設けられた一対のパースペクティブ画像である。
【００７４】
視標制御部２０１Ｂは、視標画像ＰＬ１に左被検眼ＥＬの左注視目標ＴＬを重ねて提示するように左ＬＣＤ１１を制御する。視標制御部２０１Ｂは、視標画像ＰＬ１において検査距離Ｌ１に相当する位置の近傍に左注視目標ＴＬを提示するように左ＬＣＤ１１を制御する。このとき、視標制御部２０１Ｂは、左注視目標ＴＬの少なくとも一部の形態（例えば、形状、サイズ、向き等）を変化させるように左ＬＣＤ１１を制御することが可能である。例えば、視標制御部２０１Ｂは、左注視目標ＴＬの翼の部分が上下に動くように左ＬＣＤ１１を制御する。それにより、被検者に左注視目標ＴＬの位置を認識させやすくなり、左被検眼ＥＬを左注視目標ＴＬに固視させやすくすることが可能になる。
【００７５】
同様に、視標制御部２０１Ｂは、視標画像ＰＲ１に右被検眼ＥＲの右注視目標ＴＲを重ねて提示するように右ＬＣＤ１１を制御する。左注視目標ＴＬ及び右注視目標ＴＲは、左被検眼ＥＬ及び右被検眼ＥＲのそれぞれが本Ｊ１を注視するように提示される。視標制御部２０１Ｂは、視標画像ＰＲ１において検査距離Ｌ１に相当する位置の近傍に右注視目標ＴＲを提示するように右ＬＣＤ１１を制御する。このとき、視標制御部２０１Ｂは、右注視目標ＴＲの少なくとも一部の形態（例えば、形状、サイズ、向き等）を変化させるように右ＬＣＤ１１を制御することが可能である。例えば、視標制御部２０１Ｂは、右注視目標ＴＲの翼の部分が上下に動くように右ＬＣＤ１１を制御する。それにより、被検者に右注視目標ＴＲの位置を認識させやすくなり、右被検眼ＥＲを右注視目標ＴＲに固視させやすくすることが可能になる。
【００７６】
図８に、実施形態に係る検査距離Ｌ２に対応する一対の視標画像の一例を示す。検査距離としてＬ２が指定されると、視標制御部２０１Ｂは、一対の視標画像ＰＬ２、ＰＲ２を左ＬＣＤ１１及び右ＬＣＤ１１のそれぞれに同時に表示させる。一対の視標画像ＰＬ２、ＰＲ２は、検査距離Ｌ２に応じた視差が設けられた一対のパースペクティブ画像である。
【００７７】
視標制御部２０１Ｂは、視標画像ＰＬ２に左被検眼ＥＬの左注視目標ＴＬを重ねて提示するように左ＬＣＤ１１を制御する。視標制御部２０１Ｂは、視標画像ＰＬ２において検査距離Ｌ２に相当する位置の近傍に左注視目標ＴＬを提示するように左ＬＣＤ１１を制御する。このとき、視標制御部２０１Ｂは、図７と同様に、左注視目標ＴＬの少なくとも一部の形態を変化させるように左ＬＣＤ１１を制御することが可能である。
【００７８】
同様に、視標制御部２０１Ｂは、視標画像ＰＲ２に右被検眼ＥＲの右注視目標ＴＲを重ねて提示するように右ＬＣＤ１１を制御する。左注視目標ＴＬ及び右注視目標ＴＲは、左被検眼ＥＬ及び右被検眼ＥＲのそれぞれがキーボードＪ２を注視するように提示される。視標制御部２０１Ｂは、視標画像ＰＲ２において検査距離Ｌ２に相当する位置の近傍に右注視目標ＴＲを提示するように右ＬＣＤ１１を制御する。このとき、視標制御部２０１Ｂは、図７と同様に、右注視目標ＴＲの少なくとも一部の形態を変化させるように右ＬＣＤ１１を制御することが可能である。
【００７９】
図９に、実施形態に係る検査距離Ｌ３に対応する一対の視標画像の一例を示す。検査距離としてＬ３が指定されると、視標制御部２０１Ｂは、一対の視標画像ＰＬ３、ＰＲ３を左ＬＣＤ１１及び右ＬＣＤ１１のそれぞれに同時に表示させる。一対の視標画像ＰＬ３、ＰＲ３は、検査距離Ｌ３に応じた視差が設けられた一対のパースペクティブ画像である。
【００８０】
視標制御部２０１Ｂは、視標画像ＰＬ３に左被検眼ＥＬの左注視目標ＴＬを重ねて提示するように左ＬＣＤ１１を制御する。視標制御部２０１Ｂは、視標画像ＰＬ３において検査距離Ｌ３に相当する位置の近傍に左注視目標ＴＬを提示するように左ＬＣＤ１１を制御する。このとき、視標制御部２０１Ｂは、図７と同様に、左注視目標ＴＬの少なくとも一部の形態を変化させるように左ＬＣＤ１１を制御することが可能である。
【００８１】
同様に、視標制御部２０１Ｂは、視標画像ＰＲ３に右被検眼ＥＲの右注視目標ＴＲを重ねて提示するように右ＬＣＤ１１を制御する。左注視目標ＴＬ及び右注視目標ＴＲは、左被検眼ＥＬ及び右被検眼ＥＲのそれぞれがディスプレイ装置Ｊ３を注視するように提示される。視標制御部２０１Ｂは、視標画像ＰＲ３において検査距離Ｌ３に相当する位置の近傍に右注視目標ＴＲを提示するように右ＬＣＤ１１を制御する。このとき、視標制御部２０１Ｂは、図７と同様に、右注視目標ＴＲの少なくとも一部の形態を変化させるように右ＬＣＤ１１を制御することが可能である。
【００８２】
図１０に、実施形態に係る検査距離Ｌ４に対応する一対の視標画像の一例を示す。検査距離としてＬ４が指定されると、視標制御部２０１Ｂは、一対の視標画像ＰＬ４、ＰＲ４を左ＬＣＤ１１及び右ＬＣＤ１１のそれぞれに同時に表示させる。一対の視標画像ＰＬ４、ＰＲ４は、検査距離Ｌ４に応じた視差が設けられた一対のパースペクティブ画像である。
【００８３】
視標制御部２０１Ｂは、視標画像ＰＬ４に左被検眼ＥＬの左注視目標ＴＬを重ねて提示するように左ＬＣＤ１１を制御する。視標制御部２０１Ｂは、視標画像ＰＬ４において検査距離Ｌ４に相当する位置の近傍に左注視目標ＴＬを提示するように左ＬＣＤ１１を制御する。このとき、視標制御部２０１Ｂは、図７と同様に、左注視目標ＴＬの少なくとも一部の形態を変化させるように左ＬＣＤ１１を制御することが可能である。
【００８４】
同様に、視標制御部２０１Ｂは、視標画像ＰＲ４に右被検眼ＥＲの右注視目標ＴＲを重ねて提示するように右ＬＣＤ１１を制御する。左注視目標ＴＬ及び右注視目標ＴＲは、左被検眼ＥＬ及び右被検眼ＥＲのそれぞれが居室の壁の一点を注視するように提示される。視標制御部２０１Ｂは、視標画像ＰＲ４において検査距離Ｌ４に相当する位置の近傍に右注視目標ＴＲを提示するように右ＬＣＤ１１を制御する。このとき、視標制御部２０１Ｂは、図７と同様に、右注視目標ＴＲの少なくとも一部の形態を変化させるように右ＬＣＤ１１を制御することが可能である。
【００８５】
図１１に、実施形態に係る検査距離Ｌ５に対応する一対の視標画像の一例を示す。検査距離としてＬ５が指定されると、視標制御部２０１Ｂは、一対の視標画像ＰＬ５、ＰＲ５を左ＬＣＤ１１及び右ＬＣＤ１１のそれぞれに同時に表示させる。一対の視標画像ＰＬ５、ＰＲ５は、検査距離Ｌ５に応じた視差が設けられた一対のパースペクティブ画像である。
【００８６】
視標制御部２０１Ｂは、視標画像ＰＬ５に左被検眼ＥＬの左注視目標ＴＬを重ねて提示するように左ＬＣＤ１１を制御する。視標制御部２０１Ｂは、視標画像ＰＬ５において検査距離Ｌ５に相当する位置の近傍に左注視目標ＴＬを提示するように左ＬＣＤ１１を制御する。このとき、視標制御部２０１Ｂは、図７と同様に、左注視目標ＴＬの少なくとも一部の形態を変化させるように左ＬＣＤ１１を制御することが可能である。
【００８７】
同様に、視標制御部２０１Ｂは、視標画像ＰＲ５に右被検眼ＥＲの右注視目標ＴＲを重ねて提示するように右ＬＣＤ１１を制御する。左注視目標ＴＬ及び右注視目標ＴＲは、左被検眼ＥＬ及び右被検眼ＥＲのそれぞれが窓越しの外の風景の一点を注視するように提示される。視標制御部２０１Ｂは、視標画像ＰＲ５において検査距離Ｌ５に相当する位置の近傍に右注視目標ＴＲを提示するように右ＬＣＤ１１を制御する。このとき、視標制御部２０１Ｂは、図７と同様に、右注視目標ＴＲの少なくとも一部の形態を変化させるように右ＬＣＤ１１を制御することが可能である。
【００８８】
視標制御部２０１Ｂは、記憶部２０２に記憶されている視標画像データ２０２Ａに基づいて図７〜図１１に示す一対の視標画像を左ＬＣＤ１１及び右ＬＣＤ１１のそれぞれに同時に表示させる。この場合、視標制御部２０１Ｂは、検査距離が変更されるたびに記憶部２０２から変更後の検査距離に対応した視標画像データを読み出し、読み出された視標画像データに基づいて一対の視標画像を左ＬＣＤ１１及び右ＬＣＤ１１のそれぞれに同時に表示させる。
【００８９】
なお、視標制御部２０１Ｂは、検査距離が変更されるたびに変更後の検査距離に対応した一対の視標画像を演算部２１０（画像処理部２１０Ａ）に形成させるようにしてもよい。例えば、記憶部２０２は、所定の３次元空間に配置された視標オブジェクトの３次元データを記憶する。演算部２１０は、検査距離が変更されるたびに左被検眼ＥＬに相当する左仮想カメラの位置と右被検眼ＥＲに相当する右仮想カメラの位置とを検査距離に応じて３次元空間に設定する。演算部２１０は、記憶部２０２に記憶された３次元データに基づいて、左仮想カメラの位置を視点として、検査距離に対応した位置に配置された仮想平面に対して視標オブジェクトをレンダリングすることにより左被検眼ＥＬ用の視標画像を形成する。同様に、演算部２１０は、記憶部２０２に記憶された３次元データに基づいて、右仮想カメラの位置を視点として、検査距離に対応した位置に配置された仮想平面に対して視標オブジェクトをレンダリングすることにより右被検眼ＥＲ用の視標画像を形成する。
【００９０】
また、視標制御部２０１Ｂは、検査距離Ｌ１〜Ｌ５のうち少なくとも２種類の検査距離に対応した視標が描出された一対の視標画像を左ＬＣＤ１１及び右ＬＣＤ１１のそれぞれに同時に表示させてもよい。この場合、左ＬＣＤ１１及び右ＬＣＤ１１のそれぞれには、下方が近方に対応し、上方が遠方に対応するパースペクティブ画像が表示される。
【００９１】
図１２に、実施形態に係る検査距離Ｌ１〜Ｌ５に対応する視標が描出された一対の視標画像の一例を示す。視標制御部２０１Ｂは、一対の視標画像ＰＬ６、ＰＲ６を左ＬＣＤ１１及び右ＬＣＤ１１のそれぞれに同時に表示させる。一対の視標画像ＰＬ６、ＰＲ６は、検査距離Ｌ１〜Ｌ５に応じた視差が設けられた一対のパースペクティブ画像である。視標画像ＰＬ６、ＰＲ６のそれぞれは、下方から上方に向けて検査距離Ｌ１から検査距離Ｌ５に対応した視標画像が連続的に描出された画像である。視標画像ＰＬ６、ＰＲ６は、下方から上方に向けて検査距離Ｌ１から検査距離Ｌ５に対応した視標画像が段階的に描出された画像であってよい。
【００９２】
視標制御部２０１Ｂは、視標画像ＰＬ６に左被検眼ＥＬの左注視目標ＴＬを重ねて提示するように左ＬＣＤ１１を制御する。視標制御部２０１Ｂは、視標画像ＰＬ６において検査距離Ｌ１〜Ｌ５のいずれかに相当する位置の近傍に左注視目標ＴＬを提示するように左ＬＣＤ１１を制御する。視標制御部２０１Ｂは、指定された検査距離に相当する位置に左注視目標ＴＬを提示するように左ＬＣＤ１１を制御することが可能である。左パースペクティブ画像中の左注視目標ＴＬの提示位置は、検者用コントローラ３００又は被検者用コントローラ３１０に対する操作内容に基づき変更可能である。
【００９３】
また、画像処理部２１０Ａは、左パースペクティブ画像中の左注視目標ＴＬの提示位置に応じて、左パースペクティブ画像に対してぼかし処理を施すことが可能である。視標制御部２０１Ｂは、ぼかし処理が施された画像を左ＬＣＤ１１に表示させる。例えば、画像処理部２１０Ａは、左パースペクティブ画像中の左注視目標ＴＬの提示位置から所定の距離だけ離れた他の検査距離に相当する視標が描出された領域に対してぼかし処理を施す。また、視標制御部２０１Ｂは、左注視目標ＴＬの位置の近傍だけ（左注視目標ＴＬの位置が含まれる所定の検査距離に対応する画像だけ）を拡大して左被検眼ＥＬに提示してもよい。
【００９４】
同様に、視標制御部２０１Ｂは、視標画像ＰＲ６に右被検眼ＥＲの右注視目標ＴＲを重ねて提示するように右ＬＣＤ１１を制御する。視標制御部２０１Ｂは、視標画像ＰＲ６において検査距離Ｌ１〜Ｌ５のいずれかに相当する位置の近傍に右注視目標ＴＲを提示するように右ＬＣＤ１１を制御する。視標制御部２０１Ｂは、指定された検査距離に相当する位置に右注視目標ＴＲを提示するように右ＬＣＤ１１を制御することが可能である。右パースペクティブ画像中の右注視目標ＴＲの提示位置は、検者用コントローラ３００又は被検者用コントローラ３１０に対する操作内容に基づき変更可能である。
【００９５】
また、画像処理部２１０Ａは、右パースペクティブ画像中の右注視目標ＴＲの提示位置に応じて、右パースペクティブ画像に対してぼかし処理を施すことが可能である。視標制御部２０１Ｂは、ぼかし処理が施された画像を右ＬＣＤ１１に表示させる。例えば、画像処理部２１０Ａは、右パースペクティブ画像中の右注視目標ＴＲの提示位置から所定の距離だけ離れた他の検査距離に相当する視標が描出された領域に対してぼかし処理を施す。また、視標制御部２０１Ｂは、右注視目標ＴＲの位置の近傍だけ（右注視目標ＴＲの位置が含まれる所定の検査距離に対応する画像だけ）を拡大して右被検眼ＥＲに提示してもよい。
【００９６】
図１２に示すような視標画像ＰＬ６、ＰＲ６を左ＬＣＤ１１及び右ＬＣＤ１１に表示させることで、検査距離に応じて視標を切り替えることなく、左注視目標ＴＬや右注視目標ＴＲだけを制御すればよい。
【００９７】
以上のように、被検眼を輻輳させ、かつ、検査距離に応じた視標画像を左右の被検眼に提示するようにしたので、より自然視に近い状態で左右の被検眼について同時に他覚測定を行うことが可能になる。
【００９８】
制御装置２００は、以上のような制御の他に、眼科検査装置１のあらゆる動作制御やデータ処理を実行する。
【００９９】
第１視標提示部１２２Ｌの機能は、左眼用検査ユニット１２０Ｌに含まれる視標提示光学系１０Ｌにより実現される。第２視標提示部１２２Ｒの機能は、右眼用検査ユニット１２０Ｒに含まれる視標提示光学系１０Ｒにより実現される。
【０１００】
第１他覚測定部１２３Ｌの機能は、左眼用検査ユニット１２０Ｌに含まれるレフ測定光学系４０Ｌやケラト測定光学系５０Ｌにより実現される。第２他覚測定部１２３Ｒの機能は、右眼用検査ユニット１２０Ｒに含まれるレフ測定光学系４０Ｒやケラト測定光学系５０Ｒにより実現される。
【０１０１】
視標提示光学系１０Ｌ、１０Ｒは、実施形態に係る「情報提示系」の一例である。視標提示光学系１０ＬのＬＣＤ１１（左ＬＣＤ１１）は、実施形態に係る「左表示部」の一例である。視標提示光学系１０ＲのＬＣＤ１１（右ＬＣＤ１１）は、実施形態に係る「右表示部」の一例である。視標画像ＰＬ１〜ＰＬ６は、実施形態に係る「左パースペクティブ画像」の一例である。視標画像ＰＲ１〜ＰＲ６は、実施形態に係る「右パースペクティブ画像」の一例である。検者用コントローラ３００又は被検者用コントローラ３１０は、実施形態に係る「操作部」の一例である。レフ測定光学系４０Ｌやケラト測定光学系５０Ｌは、実施形態に係る「左他覚測定光学系」の一例である。レフ測定光学系４０Ｒやケラト測定光学系５０Ｒは、実施形態に係る「右他覚測定光学系」の一例である。視標提示光学系１０Ｌは、実施形態に係る「左視標提示光学系」の一例である。視標提示光学系１０Ｒは、実施形態に係る「右視標提示光学系」の一例である。
【０１０２】
［動作例］
次に、実施形態に係る眼科検査装置１の動作について説明する。
【０１０３】
図１３及び図１４に、眼科検査装置１の動作例の全体のフロー図を示す。
【０１０４】
（Ｓ１）
検者用コントローラ３００又は被検者用コントローラ３１０に対する所定の操作を受け、制御装置２００は、動作を開始する。被検者は、他覚測定及び自覚検査が実行できるように図示しない額当てに顔を固定する。額当て自体の位置を自動又は手動で調整してもよい。制御装置２００は、左右眼についてアライメントを実行する。すなわち、制御装置２００は、アライメント光学系３０Ｌにより左被検眼ＥＬに対する左眼用検査ユニット１２０Ｌの光学系のアライメントを実行する。また、制御装置２００は、アライメント光学系３０Ｒにより右被検眼ＥＲに対する右眼用検査ユニット１２０Ｒの光学系のアライメントを実行する。
【０１０５】
（Ｓ２）
制御装置２００は、ケラト測定光学系５０Ｌ、５０Ｒにより左被検眼ＥＬ及び右被検眼ＥＲのそれぞれに対して上記のようにケラト測定を実行する。左被検眼ＥＬ及び右被検眼ＥＲのそれぞれに対するケラト測定の結果は、記憶部２０２に保存される。
【０１０６】
（Ｓ３）
制御装置２００は、レフ測定光学系４０Ｌ、４０Ｒにより左被検眼ＥＬ及び右被検眼ＥＲのそれぞれに対して上記のようにレフ測定を実行する。左被検眼ＥＬ及び右被検眼ＥＲのそれぞれに対するレフ測定の結果は、記憶部２０２に保存される。Ｓ３の詳細については、後述する。
【０１０７】
（Ｓ４）
制御装置２００は、視標提示光学系１０Ｌ、１０Ｒを制御することにより検者又は制御装置２００により選択された視標をＬＣＤ１１に表示させる。それにより、視標が被検者に提示される。被検者は視標に対する応答を行う。応答内容の入力を受けて、制御装置２００は、更なる制御や、自覚検査値の算出を行う。
【０１０８】
（Ｓ５）
制御装置２００は、Ｓ２において求められたケラト測定の結果、Ｓ３において求められたレフ測定の結果、及びＳ４において求められた自覚検査の結果の少なくとも１つを検者用コントローラ３００又は被検者用コントローラ３１０の表示部に表示させる。以上で、眼科検査装置１の動作は終了する（エンド）。
【０１０９】
図１４に、図１３のＳ３の動作例のフロー図を示す。図１４は、Ｓ３において遠用他覚測定及び近用他覚測定を行う場合の動作例を表す。
【０１１０】
（Ｓ１１）
まず、制御装置２００は、Ｓ１と同様に、アライメント光学系３０Ｌ、３０Ｒにより左被検眼ＥＬに対する左眼用検査ユニット１２０Ｌの光学系のアライメントと、右被検眼ＥＲに対する右眼用検査ユニット１２０Ｒの光学系のアライメントとを実行する。
【０１１１】
（Ｓ１２）
次に、制御装置２００は、公知の手法により遠用他覚測定を行う。例えば、制御装置２００は、左被検眼ＥＬ及び右被検眼ＥＲのそれぞれを遠方視させた状態で屈折力を他覚的に測定する。具体的には、制御装置２００は、仮測定として左被検眼ＥＬ及び右被検眼ＥＲに対して他覚測定を行い、仮測定の結果に基づいて雲霧させた状態で他覚測定を行う。
【０１１２】
（Ｓ１３）
続いて、制御装置２００は、検査距離を設定する。検査距離は、検者用コントローラ３００又は被検者用コントローラ３１０に対する操作により指定されてもよい。また、制御装置２００は、あらかじめ決められた測定シーケンスに従って検査距離を設定してもよい。
【０１１３】
（Ｓ１４）
制御装置２００は、Ｓ１３において設定された検査距離に対応した視標画像を選択し、記憶部２０２に記憶された視標画像データ２０２Ａの中から、当該選択された視標画像の画像データを読み出す。
【０１１４】
（Ｓ１５）
制御装置２００は、Ｓ１３において設定された検査距離に基づいて、図５に示したように回旋角θを求め、求められた回旋角θだけ左眼用検査ユニット１２０Ｌ及び右眼用検査ユニット１２０Ｒのそれぞれを回旋させる。このとき、被検者の瞳孔間距離は、既定の標準距離であってもよいし、左被検眼ＥＬの瞳孔中心（重心）位置と右被検眼ＥＲの瞳孔中心（重心）位置との間の距離を別途に測定して得られたものであってよい。
【０１１５】
（Ｓ１６）
制御装置２００は、指定された検査距離だけ左被検眼ＥＬから離れた位置に相当する位置に左注視目標ＴＬを提示するとともに、上記の検査距離だけ右被検眼ＥＲから離れた位置に相当する位置に右注視目標ＴＲを提示するように視標提示光学系１０Ｌ、１０Ｒを制御する。さらに、制御装置２００は、Ｓ１４において選択された一対の視標画像を、左ＬＣＤ１１及び右ＬＣＤ１１のそれぞれに表示させる。
【０１１６】
（Ｓ１７）
制御装置２００（視標制御部２０１Ｂ）は、左注視目標ＴＬ、右注視目標ＴＲの翼の部分が上下に動くようにＬＣＤ１１を制御する。それにより、左被検眼ＥＬを左注視目標ＴＬに固視させやすくなり、右被検眼ＥＲを右注視目標ＴＲに固視させやすくなる。
【０１１７】
（Ｓ１８）
次に、制御装置２００は、公知の手法により近用他覚測定を行う。例えば、制御装置２００は、左被検眼ＥＬ及び右被検眼ＥＲを左注視目標ＴＬ及び右注視目標ＴＲに固視させた状態で、左被検眼ＥＬ及び右被検眼ＥＲのそれぞれに測定用の光束を照射し、その戻り光を撮影光学系２０Ｌ、２０Ｒに受光させる。演算部２１０は、撮影光学系２０Ｌ、２０Ｒによる受光結果に対し、公知の手法でそれぞれ解析することにより、左被検眼ＥＬ及び右被検眼ＥＲのそれぞれの他覚値を求める。以上で、眼科検査装置１の動作は終了である（エンド）。
【０１１８】
以上のように、実施形態に係る眼科検査装置１では、測定ヘッドを回旋させることにより被検眼を輻輳させ、かつ、検査距離に応じた視標画像を左右の被検眼に同時に提示するようにしたので、より自然視に近い状態で左右の被検眼について他覚測定を行うことが可能になる。なお、被検眼を輻輳させることなく、検査距離に応じた視標画像を左右の被検眼に同時に提示するだけでも、より自然視に近い状態で左右の被検眼について他覚測定を行うことができる。
【０１１９】
［効果］
実施形態に係る眼科検査装置の効果について説明する。
【０１２０】
実施形態に係る眼科検査装置（眼科検査装置１）は、情報提示系（視標提示光学系１０Ｌ、１０Ｒ）と、制御部（制御装置２００又は制御部２０１）とを含む。情報提示系は、左被検眼（左被検眼ＥＬ）に提示される情報（視標）を表示する左表示部（視標提示光学系１０ＬのＬＣＤ１１）と、右被検眼（右被検眼ＥＲ）に提示される情報を表示する右表示部（視標提示光学系１０ＲのＬＣＤ１１）とを含む。制御部は、左被検眼から所定距離だけ離れた見かけの位置に左注視目標（左注視目標ＴＬ）を提示するとともに、右被検眼から所定距離だけ離れた見かけの位置に右注視目標（右注視目標ＴＲ）を提示するように情報提示系を制御し、かつ、所定距離に対応する両眼視差に応じた左パースペクティブ画像（視標画像ＰＬ１〜ＰＬ６）及び右パースペクティブ画像（視標画像ＰＲ１〜ＰＲ６）をそれぞれ左表示部及び右表示部に表示させる。
【０１２１】
このような構成によれば、所定距離に対応する両眼視差に応じた左パースペクティブ画像及び右パースペクティブ画像をそれぞれ左表示部及び右表示部に表示させつつ、左右の被検眼からそれぞれ所定距離だけ離れた見かけの位置に左注視目標及び右注視目標を提示するようにしたので、より自然視に近い状態で左右の被検眼について同時に眼科検査を行うことが可能になる。
【０１２２】
また、実施形態に係る眼科検査装置では、制御部は、左注視目標及び右注視目標のうち少なくとも一方を情報提示系の光軸に直交する方向に移動するように情報提示系を制御してもよい。
【０１２３】
このような構成によれば、左注視目標及び右注視目標の少なくとも一方を左パースペクティブ画像中や右パースペクティブ画像中で移動させることができるので、被検眼のパースペクティブ画像の任意の位置に固視させることが可能になる。
【０１２４】
また、実施形態に係る眼科検査装置は、操作部（検者用コントローラ３００又は被検者用コントローラ３１０）をさらに含み、制御部は、操作部から入力される信号（操作信号）に基づいて左注視目標及び右注視目標のうち少なくとも一方を移動するように情報提示系を制御してもよい。
【０１２５】
このような構成によれば、操作部に対する操作により左注視目標及び右注視目標の少なくとも一方を左パースペクティブ画像中や右パースペクティブ画像中で移動させることができるので、自覚検査における所望の注視目標の位置に固視させた状態で眼科検査を行うことができる。
【０１２６】
また、実施形態に係る眼科検査装置では、制御部は、見かけの位置に応じて左注視目標及び右注視目標のうち少なくとも一方のサイズを変更するように情報提示系を制御してもよい。
【０１２７】
このような構成によれば、被検者は左パースペクティブ画像中や右パースペクティブ画像中で左注視目標や右注視目標を容易に見分けて固視することが可能になる。
【０１２８】
また、実施形態に係る眼科検査装置では、制御部は、左注視目標及び右注視目標のそれぞれの少なくとも一部の形態を変化させるように情報提示系を制御してもよい。
【０１２９】
このような構成によれば、検者は左パースペクティブ画像中や右パースペクティブ画像中で左注視目標や右注視目標の少なくとも一部の形態を変化させるようにしたので、被検者は左注視目標や右注視目標をより容易に見分けて固視することが可能になる。
【０１３０】
また、実施形態に係る眼科検査装置は、左パースペクティブ画像及び右パースペクティブ画像のそれぞれに対して所定距離に応じてぼかし処理を施す画像処理部（画像処理部２１０Ａ）を含んでもよい。
【０１３１】
このような構成によれば、左パースペクティブ画像及び右パースペクティブ画像に対してぼかし処理を施すようにしたので、被検者は、パースペクティブ画像の遠近方向の視認が容易になる。それにより、より一層、自然視に近い状態で左パースペクティブ画像及び右パースペクティブ画像を固視することが可能になる。
【０１３２】
また、実施形態に係る眼科検査装置では、左パースペクティブ画像及び右パースペクティブ画像のそれぞれは、所定距離に応じた２以上の画像を含み、制御部は、所定距離に応じた画像をそれぞれ左表示部及び右表示部に表示させてもよい。
【０１３３】
このような構成によれば、あらかじめ形成された２以上のパースペクティブ画像のいずれか所定距離に応じて選択すればよいので、簡素な制御でより自然視に近い状態で左右の被検眼について同時に眼科検査を行うことが可能な眼科検査装置を提供することができる。
【０１３４】
また、実施形態に係る眼科装置では、左パースペクティブ画像及び右パースペクティブ画像のそれぞれは、下方が近方に対応し、上方が遠方に対応する画像であってよい。
【０１３５】
このような構成によれば、下方から上方に向けて近用から遠方に向かうパースペクティブ画像により被検眼を固視させることができるので、被検者は、より自然視に近い状態で左右の被検眼について眼科検査を行うことが可能な眼科検査装置を提供することができる。
【０１３６】
また、実施形態に係る眼科検査装置では、左パースペクティブ画像及び右パースペクティブ画像のそれぞれは、左被検眼及び右被検眼のそれぞれの上方位置から見た遠方画像を含んでもよい。
【０１３７】
このような構成によれば、左被検眼及び右被検眼のそれぞれの上方位置から見た遠方画像を用いて被検眼を固視させるようにしたので、被検眼を遠方視させた状態で眼科検査を容易に実行することができる。
【０１３８】
また、実施形態に係る眼科検査装置は、左被検眼を他覚的に測定するための左他覚測定光学系（レフ測定光学系４０Ｌ、ケラト測定光学系５０Ｌ）と、右被検眼を他覚的に測定するための右他覚測定光学系（レフ測定光学系４０Ｒ、ケラト測定光学系５０Ｒ）とを含んでもよい。
【０１３９】
このような構成によれば、より自然視に近い状態で左右の被検眼について同時に他覚測定を行うことが可能になる。
【０１４０】
また、実施形態に係る眼科検査装置では、情報提示系は、左表示部に表示された視標を左被検眼に提示する左視標提示光学系（視標提示光学系１０Ｌ）と、右表示部に表示された視標を右被検眼に提示する右視標提示光学系（視標提示光学系１０Ｒ）とを含んでもよい。
【０１４１】
このような構成によれば、より自然視に近い状態で左右の被検眼について同時に他覚測定が可能で、かつ、両眼について自覚検査が可能な眼科検査装置を提供することができる。
【０１４２】
［その他］
なお、前述の実施形態は、図３で説明した光学系の構成や図４で説明した制御系の構成や制御内容に限定されるものではない。例えば、他覚測定には、被検眼に関する値を測定するための他覚測定と、被検眼の画像を取得するための撮影とが含まれてよい。このような他覚測定には、例えば、他覚屈折測定、角膜形状測定、眼圧測定、眼底撮影、ＯＣＴの手法を用いたＯＣＴ（Ｏｐｔｉｃａｌ  Ｃｏｈｅｒｅｎｃｅ  Ｔｏｍｏｇｒａｐｈｙ）計測などがある。また、自覚検査には、例えば、遠用検査、近用検査、コントラスト検査、グレアー検査などの自覚屈折測定や、視野検査などがある。
【０１４３】
また、実施形態に係る眼科検査装置は、自覚検査として、遠用検査、近用検査、コントラスト検査、グレアー検査などを実行可能であり、且つ、他覚測定として、他覚屈折測定、角膜形状測定、ＯＣＴ計測などを実行可能な装置であってよい。ＯＣＴ計測では、眼軸長、角膜厚、前房深度、水晶体厚などの被検眼の構造を表す眼球情報の取得が行われてもよい。
【０１４４】
また、実施形態では、両眼について同時に自覚検査や他覚測定が可能な眼科検査装置について説明したが、実施形態に係る眼科検査装置はこれに限定されるものではない。例えば、実施形態に係る眼科検査装置は、左被検眼及び右被検眼のいずれか一方だけ自覚検査や他覚測定が可能な眼科検査装置であってもよい。
【０１４５】
以上に説明した構成は、この発明を好適に実施するための一例に過ぎない。よって、この発明の要旨の範囲内における任意の変形（省略、置換、付加など）を適宜に施すことが可能である。
【符号の説明】
【０１４６】
１  眼科検査装置
１０Ｌ、１０Ｒ  視標提示光学系
１１  ＬＣＤ
２０Ｌ、２０Ｒ  撮影光学系
１００  測定ヘッド
１２０Ｌ  左眼用検査ユニット
１２０Ｒ  右眼用検査ユニット
２００  制御装置
２０１  制御部
２０１Ａ  表示制御部
２０１Ｂ  視標制御部
２１０  演算部
２１０Ａ  画像処理部
【図１】
2018042761.tif 000004
【図２】
2018042761.tif 000005
【図３】
2018042761.tif 000006
【図４】
2018042761.tif 000007
【図５】
2018042761.tif 000008
【図６】
2018042761.tif 000009
【図７】
2018042761.tif 000010
【図８】
2018042761.tif 000011
【図９】
2018042761.tif 000012
【図１０】
2018042761.tif 000013
【図１１】
2018042761.tif 000014
【図１２】
2018042761.tif 000015
【図１３】
2018042761.tif 000016
【図１４】
2018042761.tif 000017